(57)【特許請求の範囲】
【請求項１】
容器本体胴部の、前面と背面との間の側壁領域に、横断面において前記前面の周長より前記背面の周長が短くなるようそれぞれ凹部を形成し、該胴部の背面領域を含め一方の凹部からもう一方の凹部に至るまでの全領域を容器のグリップ部とするピンチグリップ式のボトル型容器であって、
前記背面領域に、グリップ部の上端でその上端が一致する同等の高さを有する減圧吸収パネルを設け、かつ、
グリップ部を形成する凹部の縁の、前記前面の側に位置する部分に沿って該凹部側に向けて段下がりをなす段差を設けたことを特徴とするピンチグリップ
式ボトル型容器。
【請求項２】
ボトル型容器が、背面領域の減圧吸収パネルの上端と容器本体胴部の境界に容器の内側に向けて凸となる溝を有する横リブを備えるものである請求項１記載の容器。
【請求項３】
ボトル型容器が、その肩部に減圧吸収パネルを備える請求項１又は２記載の容器。
【発明の詳細な説明】
【０００１】
【発明の属する技術分野】
本発明は、容器本体の胴部に凹部を区画、形成してここをグリップ部として容器を把持する、いわゆるピンチグリップタイプのボトル型容器に関するものであり、該容器の軽量化（薄肉化）に伴う強度の低下を有利に回避しようとするものである。
【０００２】
【従来の技術】
ペットボトルに代表されるような合成樹脂製の容器は、軽量で取り扱いが容易であること、また、透明性を確保できガラス製の容器に比較して遜色のない外観を呈すること、しかも、コスト的にも安価であることから、近年、食品や飲料、化粧料あるいは薬剤等を充填する容器として多用されている。
【０００３】
ところで、合成樹脂製の容器は、外力に対する強度が比較的小さく、例えば容器の胴部を把持して内容物を注出する場合に把持部分において変形するのが避けられない。
【０００４】
通常、この種の容器では、容器の外力に対する抵抗（剛性や座屈強度等）を改善するため、容器の肉厚を適宜に変更するとともに、胴部に縦リブ、横リブ、あるいはウエスト（胴部を周回する溝）を形成することによって対処している。
【０００５】
しかしながら、近年では資源の有効利用、ごみの削減を図る観点から、容器一個当たりに使用される樹脂量を削減すべく、容器の薄肉化（軽量化）が求められる傾向にあり、その要望に対処するためには、容器の強度低下が避けられない状況にある。
【０００６】
とくに、酒や醤油、油、焼酎、ウイスキー等を入れる容器は、近年、２．７リットル以上にも及ぶピンチグリップ式の大型の容器が使用されるようになってきており、かかるボトルを軽量化対象とする場合には、グリップ部を把持したときに該グリップ部を含む容器本体の胴部の変形は不可避である。
【０００７】
【発明が解決しようとする課題】
本発明の課題は、軽量化された薄肉の容器であっても初期形状を保つことができる新規なピンチグリップ式ボトル型容器を提案するところにある。
【０００８】
【課題を解決するための手段】
本発明は、容器本体胴部の、前面と背面との間の側壁領域に、横断面において前記前面の周長より前記背面の周長が短くなるようそれぞれ凹部を形成し、該胴部の背面領域を含め一方の凹部からもう一方の凹部に至るまでの全領域を容器のグリップ部とするピンチグリップ式のボトル型容器であって、
前記背面領域に、グリップ部の上端でその上端が一致する同等の高さを有する減圧吸収パネルを設け、かつ、グリップ部を形成する凹部の縁の、前記前面の側に位置する部分に沿って該凹部側に向けて段下がりをなす段差を設けたことを特徴とするピンチグリップ式ボトル型容器であり、このボトル型容器は、背面領域の減圧吸収パネルの上端と容器本体胴部の境界に容器の内側に向けて凸となる溝を有する横リブを備えることができ、また、肩部には減圧吸収パネルを備えることができる。
【０００９】
【発明の実施の形態】
以下、図面を用いて本発明をより具体的に説明する。
図１〜図３は本発明に従うピンチグリップ式ボトル型容器を、その前面、側面及び背面について示したものであり、図４（ａ）〜（ｆ）は図１〜図３に示した容器の上面、底面、ａ−ａ〜ｇ−ｇ断面をそれぞれ示したものである。
【００１０】
図１〜３において１は容器本体胴部の側壁領域に対向する向きで形成した凹部、２は凹部１の相互背面領域間に設けられ、容器内の減圧に伴う形状変形を防止するための減圧吸収パネルであり、この減圧吸収パネル２を含め、一方の凹部１からもう一方の凹部１に至るまでの全領域にてグリップ部Ｇを形成する。
【００１１】
また、３は減圧吸収パネル２の上端と容器本体胴部の境界で容器の内側に向けて凸となる溝ｍを有する横リブ、４はグリップ部Ｇを形成する凹部１の縁の、前面の側に位置する部分に沿って設けられた、凹部１側に向けて段下がりをなす段差、そして、５は容器本体の肩部に設けられた減圧吸収用のパネルである。
【００１２】
上掲図１〜３に示したボトル型容器は、充填容量２．７リットル用として広く使用されるタイプのものであり、かかる容器の成形に際しては、普通、１０１g 程度の樹脂が使用されるが、該容器において軽量化を図るべく、例えば使用樹脂量を８５g 程度に軽減すると、とくに、グリップ部の強度は著しく低下し、容器を把持した時にグリップ部が大きく変形し、また、容器の前面についても該グリップ部の変形に由来した歪みが生じることになる。
【００１３】
しかし、グリップ部Ｇの上端Ｈと減圧吸収パネル２の上端ｈとをそれがほぼ一致する同等の高さを有するものとし（図３参照）、かつ、横リブ３を設けることにより、グリップ性が向上すると共に、その部位における剛性が高められ、グリップ部Ｇを把持した際の変形は極めて小さなものとなる。なお、減圧吸収パネル２の上部の胴部の領域が狭く、ある程度の剛性を確保することができる形状を有する場合には横リブ３は省略してもよい。
【００１４】
また、凹部１の縁に沿って設けられた段差４（図４ｃ〜ｆ参照）については該凹部１と容器本体胴部との境界の剛性を高めるのに機能し、ラベル等が貼着される容器本体胴部の前面の変形が抑制される（容器の前面がグリップ部の把持の有無に関係なく常に張っている状態になる）。
【００１５】
さらに、本発明においては、図示したとおり、容器の肩部に減圧吸収パネル５を設けることもでき、この場合、減圧吸収パネル２を補完し、十分な減圧吸収量を確保して胴部の変形をより効果的に抑制することが可能となる。
【００１６】
本発明に従う容器は、ポリエチレンテレフタレートの如き熱可塑性樹脂を二軸延伸ブロー成形によって成形できるものであるが、その形成法についてはとくに限定はされない。
【００１７】
【発明の効果】
本発明によれば、容器の軽量化のために、使用する樹脂量を少なくして薄肉とした場合であっても容器の強度、とくにグリップ部の剛性が確保されるので容器の初期形状を安定的に維持できる。
【図面の簡単な説明】
【図１】  本発明に従うボトル型容器の正面を示した図である。
【図２】  図１の側面を示した図である。
【図３】  図１の背面を示した図である。
【図４】  （ａ）〜（ｆ）は図１に示した容器の上面、底面、ａ−ａ〜ｇ−ｇ断面をそれぞれ示した図である。
【符号の説明】
１  凹部
２  減圧吸収パネル
３  横リブ
４  段差
５  減圧吸収用のパネル
Ｇ  グリップ部
ｍ  溝
【図１】
0004675013.tif 000002
【図２】
0004675013.tif 000003
【図３】
0004675013.tif 000004
【図４】
0004675013.tif 000005